(57)【要約】    【課題】  遠心分離を省略することができ、赤血球の破壊による溶血を引き起こすことなく、血液から血漿もしくは血清を容易にかつ速やかに分離することを可能とする血漿もしくは血清分離膜及び血漿もしくは血清分離膜を用いたフィルタ装置を提供する。    【解決手段】  血液から血漿もしくは血清を分離するための膜であり、空隙率が３０％以下である血漿もしくは血清分離膜５、並びに血球よりも血漿を速やかに移動させるフィルタ部材４と、フィルタ部材の後段に直列に接続されている血漿もしくは血清分離膜５とを備えるフィルタ装置１。【選択図】        図１
2004344874.tif 000002
【特許請求の範囲】
【請求項１】
血液から血漿もしくは血清を分離するための膜であって、空隙率が３０％以下とされていることを特徴とする、血漿もしくは血清分離膜。
【請求項２】
膜の一方面から他方面に貫通する複数の貫通孔が設けられている、請求項１に記載の血漿もしくは血清分離膜。
【請求項３】
前記貫通孔の径が０．０５〜２．０μｍの範囲にある、請求項２に記載の血漿もしくは血清分離膜。
【請求項４】
表面の平均粗さが１００ｎｍ以下とされている、請求項１〜３のいずれか１項に記載の血漿もしくは血清分離膜。
【請求項５】
血球の混入を防止する血球成分停止膜に用いられる、請求項１〜４のいずれか１項に記載の血漿もしくは血清分離膜。
【請求項６】
血球よりも血漿を速く移動させる第１のフィルタ部材と、該第１のフィルタ部材の後段に直列に接続されており、かつ請求項１〜５のいすれか１項に記載の血漿もしくは血清分離膜とを備えることを特徴とする、フィルタ装置。
【請求項７】
上記フィルタ部材が第１のフィルタ部材であり、前記血漿もしくは血清分離膜が第２のフィルタ部材であり、前記第１のフィルタ部材の前段に、平均繊維径が３．０μｍ以上、嵩密度が０．３ｇ／ｃｍ3以下の繊維からなる第３のフィルタ部材が設けられている、請
求項６に記載のフィルタ装置。
【請求項８】
前記第１のフィルタ部材が、繊維からなり、平均繊維径が０．２〜３．０μｍかつ充填密度が０．１〜０．５ｇ／ｃｍ3である、請求項６または７に記載のフィルタ装置。
【請求項９】
一端に開口を有する容器本体と、前記容器本体の開口に液密的に固定された筒状部材と、前記筒状部材内に配置されており、血球よりも血漿を速く移動させる第１のフィルタ部材と、前記筒状部材内において第１のフィルタ部材の後段に直列に接続されており、請求項１〜５のいずれか１項に記載の血漿もしくは血清分離膜からなる第２のフィルタ部材とを備え、第１，第２のフィルタ部材がフィルタ収容部に配置されており、フィルタ収容部の前段に血液収容部が、フィルタ収容部の下流側に血漿もしくは血清収納部が構成されている、フィルタ装置。
【請求項１０】
前記第１のフィルタ部材の前段に設けられており、平均繊維径が３．０μｍ以上、嵩密度が０．３ｇ／ｃｍ3以下の繊維からなる第３のフィルタ部材をさらに備える、請求項９
に記載のフィルタ装置。
【請求項１１】
前記血球成分よりも血漿成分を速く移動させる第１のフィルタ部材が、血液、血漿またはフィブリノーゲン溶液中のフィブリノーゲンを吸着する性質を有する、請求項６〜９のいずれか１項に記載のフィルタ装置。
【請求項１２】
前記フィルタ装置内部の少なくとも一部に抗凝固成分が収納されている、請求項６〜１１のいずれか１項に記載のフィルタ装置。
【請求項１３】
内部の少なくとも一部に血液の凝固を促進させる凝固促進剤が収納されている、請求項６〜１１のいずれか１項に記載のフィルタ装置。
【請求項１４】
血液収容部から第１，第２のフィルタ部材に至る部分の少なくとも一部に、浸透圧が２００〜３００ｍＯｓｍ／ｋｇの水溶液が添加されている、請求項６〜１３のいずれか１項に記載のフィルタ装置。
【請求項１５】
前記水溶液が内標準物質を含有している、請求項１４に記載の血液検査用容器。
【請求項１６】
血液収容部、フィルタ収容部、血漿もしくは血清収納部の容積比が、０．５〜２：１：１〜１０の範囲にある、請求項９〜１５のいずれか１項に記載のフィルタ装置。
【請求項１７】
請求項６〜１６のいずれか１項に記載のフィルタ装置を含む血液検査用容器であって、該血液検査用容器内に、分離された血漿もしくは血清に添加されるイムノクロマト診断薬ストリップが収納されている、血液検査用容器。
【発明の詳細な説明】
【技術分野】
【０００１】
本発明は、血球成分を含む血液から血漿もしくは血清成分を分離するために用いられる血漿もしくは血清分離膜に関し、より詳細には、赤血球の破壊を生じさせることなく、血漿もしくは血清成分を分離することを可能とする血漿もしくは血清分離膜、及びフィルタ装置に関する。
【背景技術】
【０００２】
従来、血液から血球成分を除去し、臨床検査に必要な血清もしくは血漿を得るために様々な分離膜が提案されてきている。
【０００３】
例えば、下記の特許文献１には、直径０．０５〜１μｍの細孔を有し、外面開口率が４０％以下であり、内面開口率が６０％以上の中空繊維を用いて、血液から血漿を採取する方法が開示されている。
【０００４】
また、特許文献２には、平均直径０．２〜５．０μｍ及び密度０．１〜０．５ｇ／ｃｍ3の繊維層により血漿もしくは血清を分離する方法が提案されている。
【０００５】
他方、特許文献３には、高分子極細繊維集合体または多孔質ポリマーを用いて、血球成分と血漿もしくは血清成分との移動速度差により分離を行う方法が開示されている。ここでは、繊維表面に親水性ポリマーが固定化されており、該親水性ポリマーが血漿もしくは血清分離後に膨潤し、フィルタを閉塞することによりろ過が自動停止される。
【０００６】
しかしながら、特許文献１に記載の方法では、中空繊維を用いているため、ディスポーザブル製品を構成した場合、コストが高くつき、経済的でないという問題があった。
【０００７】
また、特許文献２に記載の方法では、血漿もしくは血清を分離し得るものの、ろ過速度が遅かった。また、ろ過速度を高めるために圧力を加えた場合には、血球が破壊し、溶血したり、あるいは赤血球が漏れ出し分離した血漿もしくは血清に混入することがあった。また、フィブリンなどが析出した血液では、分離過程で容易に目詰まりが生じるため、さらに溶血が生じ易かった。
【０００８】
特許文献３に記載の方法では、ヘマトクリットや粘度などが異なる血液では、ろ過速度が変化するため、血漿もしくは血清のろ過が終了した時点で常にろ過を確実に停止させることはできなかった。
【特許文献１】特公平２−２３８３１号
【特許文献２】特公平６−６４０５４号
【特許文献３】特開平１１−２８５６０７号
【発明の開示】
【発明が解決しようとする課題】
【０００９】
本発明の目的は、上述した従来技術の現状に鑑み、赤血球の破壊を引き起こすことなく、血液から血漿もしくは血清成分を確実かつ速やかに分離することを可能とする血漿もしくは血清分離膜、及び該血漿もしくは血清分離膜を用いたフィルタ装置を提供することにある。
【００１０】
本願発明者らは、血液から血漿もしくは血清成分と血球成分とを分離するために種々検
討した結果、特定の構造の孔を有する分離膜を用いれば、溶血を引き起こすことなく血球と血漿もしくは血清成分とを分離し得ることを見出し、本発明をなすに至った。
【課題を解決するための手段】
【００１１】
本発明の血漿もしくは血清分離膜は、血液から血漿もしくは血清を分離するための膜であり、空隙率が３０％以下とされていることを特徴とする。
【００１２】
本発明に係る血漿もしくは血清分離膜のさらに他の特定の局面では、膜の一方面から他方面に貫通する複数の貫通孔が設けられている。
【００１３】
本発明のより特定的な局面では、上記貫通孔の径は、０．０５〜２．０μｍの範囲とされる。
【００１４】
本発明に係る血漿もしくは血清分離膜のさらに別の特定の局面では、平均の表面粗さが１００ｎｍ以下とされている。
【００１５】
本発明に係る血漿もしくは血清分離膜のさらに他の特定の局面では、該血漿もしくは血清分離膜は、血球の混入を防止する血球成分停止膜として用いられる。
【００１６】
また、本発明に係るフィルタ装置は、血球よりも血漿を速く移動させる第１のフィルタ部材と、該第１のフィルタ部材の後段に直列に接続された本発明の血漿もしくは血清分離膜とを備えることを特徴とする。
【００１７】
なお、本明細書において「直列に接続され」とは、直接に連ねられている構成に限定されず、間に他の部材が介在していてもよい。
【００１８】
本発明に係るフィルタ装置のある特定の局面では、上記フィルタ部材が第１のフィルタ部材であり、上記血漿もしくは血清分離膜が第２のフィルタ部材であり、第１のフィルタ部材の前段に、平均繊維径が３．０μｍ以上、嵩密度が０．３ｇ／ｃｍ3以下の繊維から
なる第３のフィルタ部材が設けられている。
【００１９】
本発明に係るフィルタ装置のさらに他の特定の局面では、前記第１のフィルタ部材が、繊維からなり、平均繊維径が０．２〜３．０μｍかつ充填密度が０．１〜０．５ｇ／ｃｍ3である。
【００２０】
本発明に係るフィルタ装置の別の広い局面では、一端に開口を有する容器本体と、前記容器本体の開口に液密的に固定された筒状部材と、前記筒状部材内に配置されており、血球よりも血漿を速く移動させる第１のフィルタ部材と、前記筒状部材内において第１のフィルタ部材の後段に直列に接続されており、本発明に従って構成された血漿もしくは血清分離膜からなる第２のフィルタ部材とを備え、第１，第２のフィルタ部材がフィルタ収容部に配置されており、フィルタ収容部の前段に血液収容部が、フィルタ収容部の下流側に血漿もしくは血清収納部が構成されている。
【００２１】
本発明に係るフィルタ装置のさらに他の特定の局面では、前記第１のフィルタ部材の前段に設けられており、平均繊維径が３．０μｍ以上、嵩密度が０．３ｇ／ｃｍ3以下の繊
維からなる第３のフィルタ部材がさらに備えられる。
【００２２】
本発明に係るフィルタ装置のさらに他の特定の局面では、前記血球成分よりも血漿成分を速く移動させる第１のフィルタ部材が、血液、血漿またはフィブリノーゲン溶液中のフィブリノーゲンを吸着する性質を有する。
【００２３】
本発明に係るフィルタ装置のさらに他の特定の局面では、前記フィルタ装置内部の少なくとも一部に抗凝固成分が収納されている。
【００２４】
本発明に係るフィルタ装置のさらに他の特定の局面では、内部の少なくとも一部に血液の凝固を促進させる凝固促進剤が収納されている。
【００２５】
本発明に係るフィルタ装置のさらに他の特定の局面では、血液収容部から第１，第２のフィルタ部材に至る部分の少なくとも一部に、浸透圧が２００〜３００ｍＯｓｍ／ｋｇの水溶液が添加されている。好ましくは、この水溶液には、水溶液による血液希釈倍率を確認するための内標準物質が含有される。
【００２６】
本発明に係るフィルタ装置のさらに別の局面では、血液収容部、フィルタ収容部、血漿もしくは血清収納部の容積比が、０．５〜２：１：１〜１０の範囲にある。
【００２７】
本発明に係る血液検査用容器のさらに他の特定の局面では、血液検査用容器内に、分離された血漿もしくは血清に添加されるイムノクロマト診断薬ストリップが収納されている。
【発明の効果】
【００２８】
以下、本発明の詳細を説明する。
【００２９】
本発明に係る血漿もしくは血清分離膜は、空隙率が３０％以下、好ましくは２５％以下とされる。空隙率が３０％を超えると、赤血球に負荷がかかりやすくなり、溶血を引き起こしやすくなることがある。
【００３０】
本発明で用いられる血漿もしくは血清分離膜は、好ましくは、膜の一方の面から他方の面に貫通する複数の貫通孔を有することを特徴とする。貫通孔の開口部平面形状及び貫通孔の横断面形状は特に限定されないが、鋭い角を有する形状は好ましくない。従って、貫通孔の開口部の平面形状及び横断面形状は円または楕円などの曲線状の形状が好ましい。
【００３１】
また、貫通孔の延びる方向に沿う縦断面形状についても特に限定されず、該縦断面において内壁は直線状または曲線状であってもよい。さらに、貫通孔の延びる方向は膜表面に直交する方向であってもよく、あるいは該直交方向から傾いた方向であってもよい。また、貫通孔の縦断面は切断円錐台状であってもよい。
【００３２】
さらに、上記貫通孔の形成方法についても特に限定されず、成膜後に、イオンビーム照射などのエネルギー線の照射、あるいはアルカリ浸食などの化学処理による方法などを挙げることができる。すなわち、本発明に係る血漿もしくは血清分離膜では、成膜後に、上記のような適宜の手段により一方面から他方面に貫通している貫通孔が形成される。
【００３３】
上記貫通孔の径は、０．０５〜２．０μｍの範囲が望ましい。０．０５μｍ未満では、血液中のタンパク質や脂質などが目詰まりしやすくなることがあり、２．０μｍより大きいと、赤血球がその変形能により容易に膜を通過することがある。より好ましくは、０．１〜１．５μｍである。
【００３４】
また、好ましくは、上記血漿もしくは血清分離膜では、表面の平均表面粗さが１００ｎｍ以下とされる。１００ｎｍを超えると、赤血球に負荷がかかりやすくなり、溶血を起こしやすくなりがちとなるからである。
【００３５】
上記血漿もしくは血清分離膜の材質は特に限定されず、合成高分子または天然高分子のいずれからなる膜を用いてもよい。このような材料としては、例えば、セルロース混合エステル、ポリビニリデンジフルオライド、ポリテトラフルオロエチレン、ポリカーボネート、ポリプロピレン、ポリエステル、ナイロン、ガラス、アルミナなどを挙げることができる。
【００３６】
本発明において分離作業の対象となる血液は全血でもよく、希釈された血液試料であってもよい。また、血液は人の血液に限定されず、動物の血液であってもよい。さらに、血液は、新鮮血であってもよく、ヘパリン、エチレンジアミン四酢酸塩またはクエン酸などの抗凝固剤が添加された血液であってもよい。
【００３７】
上記血漿もしくは血清分離膜を用いて、血液から、血球成分と、血漿もしくは血清とを分離するに際しては、膜の一方面に血液が供給され、ろ過により上記分離が果たされる。ろ過に際しての血液の流れ方向とろ過の方向は任意に選択することができる。もっとも、全血から血漿もしくは血清と血球成分とを分離する場合には、血液の流れ方向とろ過方向とを異ならせることが好ましく、両方向を直交する方向とすることがより望ましい。これらの方向を異ならせることにより、分離効率が高められる。
【００３８】
また、血液の流れ方向とろ過方向とが同一方向の場合には、貫通孔において目詰まりを起こすことがある。もっとも、希釈された血液から血球を分離する場合には、目詰まりが生じ難いため、血液の流れ方向とろ過方向を同一とした場合でも、目詰まりを引き起こすことなく確実に分離を行うことができる。すなわち、本発明に係る血漿もしくは血清分離膜は、血球成分停止膜としても機能するものである。
【００３９】
上記分離作業に際しては、赤血球が目詰まりすることにより、ろ過が終了する。この場合、過大な圧力を加えると、溶血を引き起こすおそれがある。しかしながら、通常の孔を有する分離膜では、僅かな圧力を加えた場合でも溶血が生じるのに対し、本発明に係る血漿もしくは血清分離膜を用いた場合には、より大きな圧力を加えた場合であっても溶血が生じ難い。すなわち、６０ｋＰａ以下の圧力を加えてろ過したとしても、溶血が生じ難い。これは、血漿もしくは血球分離膜の形状が貫通孔であるため、また、好ましくは、空隙率が３０％以下であり膜表面が滑らかとなるため、赤血球に対するダメージが小さくなるからである。
【００４０】
６０ｋＰａよりも大きな圧力を加えた場合には、赤血球が徐々に破壊されることがある。従って、好ましくは、６０ｋＰａ以下の圧力を加えることが望ましく、それによって得られた血漿もしくは血清を用いて正確な検査値を得ることができる。
【００４１】
本発明に係るフィルタ装置では、上記血漿もしくは血清分離膜の前段に、血球よりも血漿を速く移動させる第１のフィルタ部材が直列に接続されている。血液凝固していない血液が供給されると、まず血液が該第１のフィルタ部材を通過するが、その際に血漿が速やかに血漿もしくは血清分離膜側に向かって移動し、本発明の血漿もしくは血清分離膜において血漿が速やかに血漿もしくは血清分離膜を通過する。従って、血球と血漿とを効率良く分離することができる。このフィルタ装置においては、血漿がろ過された後、赤血球が血漿もしくは血清分離膜の貫通孔を閉鎖した時点でろ過が終了される。
【００４２】
上記血球よりも血漿を速く移動させる性質の第１のフィルタ部材については、特に限定されないが、例えば細い繊維径を有する合成高分子もしくはガラスからなる繊維または多孔性高分子などを用いることができる。もっとも、血液中の測定成分を吸着してしまう場合には、第１のフィルタ部材を構成する材料を表面処理しておくことが望ましい。表面処理剤としては、特に限定されないが、ポリエーテル系もしくはシリコーン系などの潤滑剤
、ポリビニルアルコールやポリビニルピロリドンなどの親水性高分子類もしくは天然の親水性高分子類、または高分子界面活性剤などを用いることができる。
【００４３】
上記第１のフィルタ部材が合成高分子またはガラスからなる繊維の場合、平均繊維径は０．２〜３．０μｍの範囲が好ましい。０．２μｍ未満では溶血が生じやすくなり、３．０μｍを超えると、血球と血漿もしくは血清とを分離するために繊維を高密度に充填する必要があり、またフィルタ部材の量が多くなるため、コストが高くなることがある。より好ましくは、繊維径は０．５〜２．５μｍの範囲とされる。
【００４４】
また、第１のフィルタ部材は繊維径０．２〜３．０μｍ、充填密度０．１〜０．５ｇ／ｃｍの範囲内で２段以上の複数段構成とされていてもよい。その場合は、上流側より下流側の充填密度を高くするか、あるいは、上流側よりも下流側の繊維径を細くすることが好ましい。これによって、さらに血漿あるいは血清の分離効率を高めることができる。
【００４５】
本発明においては、好ましくは、上記血球よりも血漿を速く移動させる第１のフィルタ部材は、フィブリノーゲンを吸着する性質を有する。フィブリノーゲン吸着性のフィルタとしては、材質は特に限定されないが、ポリエチレンテレフタレート、ポリブチレンテレフタレートなどのポリエステル系樹脂；ナイロン樹脂、ポリウレタン樹脂、ポリスチレン系樹脂、ポリメタクリル酸メチルなどのポリ（メタ）アクリル酸エステルの単独重合体または共重合体からなる樹脂、ポリエチレンと酢酸ビニルまたは（メタ）アクリル酸（エステル）などとの共重合体からなる樹脂などを用いることができる。これらの樹脂は複数種用いられてもよい。中でも、ポリエステル系樹脂は、フィブリノーゲン吸着性能と、検査値に対する影響のバランスにおいて優れているため、好適に用いられる。
【００４６】
フィブリノーゲンを吸着除去することにより得られた検体は、血清と同様に扱うことができるため、各種臨床検査に対する汎用性を高くすることができる。また、放置したとしても、検体が凝固することがないため、自動分析装置に安心して適用することができる。例えば採血管内に構成されてもよく、その場合には、採血管内を減圧することにより、採血した血液をそのまま分離し、測定に必要な血漿または血清を得ることができる。
【００４７】
本発明に係るフィルタ装置のある特定の局面では、一端に開口を有する容器本体と、容器本体の開口に液密的に取り付けられた筒状部材とが備えられ、筒状部材内に、血球よりも血漿もしくは血清を速く移動させる第１のフィルタ部材と、フィルタ部材の下方に直列に接続された上記血漿もしくは血清分離膜からなる第２のフィルタ部材とが備えられる。このようなフィルタ装置の一例を、図１〜図３に示す。
【００４８】
図１に示すフィルタ装置１は、上端に開口２ａを有する容器本体２と、容器本体２の開口２ａに気密的に挿入された筒状部材３とを有する。容器本体２は、例えば採血管や試験管などにより構成することができ、該容器本体２を構成する材料としては、合成樹脂やガラスなどを適宜用いることができる。筒状部材３についても、合成樹脂またはプラスチックなどの適宜の材料により構成され得る。筒状部材３の下端の外周面には雄ねじが形成されており、他方、容器本体２の開口近傍内周面には、雌ねじが形成されており、上記雌ねじと雄ねじとにより筒状部材３が容器本体２に押し込まれて固定される。この雌ねじと雄ねじの螺合部分を気密シール性を有するように構成することにより、筒状部材３の外周面が容器本体２の内周面に気密的に固定される。
【００４９】
筒状部材３内には、上方にフィルタ部材４が収納されており、フィルタ部材４の下方に、すなわちフィルタ部材４の後段に直列に血漿もしくは血清分離膜５が配置されている。血漿もしくは血清分離膜５の外周縁は筒状部材３の内周縁に密着している。また、フィルタ部材４の上方では筒状部材３の上端開口に栓体６が取り付けられており、それによって
筒状部材３の上端開口が密栓されている。
【００５０】
上記容器本体２内を減圧することにより、筒状部材３内に採集された血液がろ過され、それによって本発明に従って血球成分と、血漿もしくは血清とを分離することができる。
【００５１】
図２に示すフィルタ装置７では、ゴム弾性を有するリング状シール部材８を用いて筒状部材９が容器本体２に気密的に固定されている。筒状部材９では、フィルタ部材４及び血漿もしくは血清分離膜５が挿入されている部分よりも下方において段差９ａを介して小径部９ｂが連ねられている。この段差９ａが容器本体２の上端２ｂに対向されており、段差９ａと上端２ｂとの間にオーリングなどからなるリング状シール部材８が配置されている。他方、筒状部材９の小径部９ｂの径は、容器本体２の開口２ａに圧入され得る大きさとされている。従って、筒状部材９を容器本体２に圧入し、段差９ａと容器本体２の上端２ｂとの間のリング状シール部材８を圧縮するようにして、筒状部材９の外周面を容器本体２の内周面に対して気密的に固定することができる。筒状部材９の小径部９ｂよりも径の大きな大径部９ｃ内には、フィルタ部材４及び血漿もしくは血清分離膜５が配置されている。また、筒状部材９の上端は栓体６により密栓されている。
【００５２】
図３に示すフィルタ装置１０では、容器本体２内に筒状部材３が挿入されており、栓体１１により容器本体２に対して気密的に固定されている。すなわ
ち、栓体１１は、把持部１１ａと、把持部１１ａよりも径の小さな中間部１１ｂと、中間部１１ｂよりもさらに径の小さな小径部１１ｃとを有する。栓体１１は、合成ゴムや天然ゴムなどのゴム弾性を有する材料で構成されている。小径部１１ｃは、筒状部材３の上端開口に圧入され得る径とされている。また、中間部１１ｂは、容器本体２に圧入される径とされている。把持部１１ａは容器本体２の外径よりも大きな径を有するように構成されている。
【００５３】
従って、図３に示されているように、小径部１１ｃを筒状部材３に圧入し、さらに中間部１１ｂを容器本体２の開口２ａから容器本体２に圧入することにより、筒状部材３が容器本体２内において固定的に配置されている。
【００５４】
図１〜図３に示したフィルタ装置１，７，１０から明らかなように、本発明における上記フィルタ装置は、様々な構造を有するように構成され得る。なお、容器本体及び筒状部材等の形状については図示のものに限定されるものではない。
【００５５】
本発明に係るフィルタ装置では、好ましくは、血球成分よりも血漿もしくは血清を速く移動させる上記第１のフィルタ部材と、血漿もしくは血清分離膜からなる第２のフィルタ部材とが直列に接続されており、第１のフィルタ部材の上流側に、平均繊維径が３．０μｍ以上、嵩密度が０．３ｇ／ｃｍ3以下の繊維からなる第３のフィルタ部材が設けられる
。
【００５６】
第３のフィルタ部材は、平均繊維径３．０μｍ以上かつ嵩密度０．３ｇ／ｃｍ3以下の
繊維からなるフィルタである限り、特に限定されない。平均繊維径が３．０μｍ以上かつ嵩密度０．３ｇ／ｃｍ3以下であればよいが、平均繊維径は２０μｍ以下であることが望
ましい。平均繊維径が２０μｍを超えると、血液中に微量に析出したフィブリンなどを捕捉することができないことがある。平均繊維径が３．０μｍ未満では、溶血が生じ易くなる。また、嵩密度が０．３ｇ／ｃｍ3よりも大きくなると、目詰まりを起こし易くなる。
【００５７】
上記第１〜第３のフィルタ部材を備える場合、第１のフィルタ部材と第２のフィルタ部材とが第２のフィルタ部材が下流側となるように直列に接続されており、第１のフィルタ部材の上流側に上記第３のフィルタ部材が設けられている。
【００５８】
従って、血液から、血球成分と、血漿または血清とを分離するに際しては、血液が第３のフィルタ部材上に供給される。第３のフィルタ部材に供給された血液が、第３のフィルタ部材、第１のフィルタ部材を順に通過する。この場合、粘度の高い血液やフィブリンが析出しやすい血液を供給した場合においても、第３のフィルタ部材において、フィブリン等が捕捉され、第１のフィルタ部材における目詰まりが生じ難くなる。従って、第１のフィルタ部材において、赤血球に過剰な圧力が加わり難いため、溶血の発生を抑制することができる。第１のフィルタ部材では、血球成分よりも血漿または血清が速やかに移動する。従って、血漿もしくは血清が第２のフィルタ部材を通過し、血液から分離される。また、第１のフィルタ部材を通過して来た血球は、第２のフィルタ部材において捕捉され、第２のフィルタ部材の下流には漏洩しない。
【００５９】
上記のように、第１，第２のフィルタ部材を直列に接続した構成において、第１のフィルタ部材の上流側に第３のフィルタ部材が配置されているため、本発明に係る血液分離フィルタでは、赤血球の破壊を抑制しつつ、血液から血漿または血清を確実に分離することができる。
【００６０】
本発明に係るフィルタ装置は、上記本発明の血液分離フィルタを収容してなることを特徴とし、血液分離フィルタを収容する具体的な構造については特に限定されない。
【００６１】
図４は、本発明の他の実施形態に係るフィルタ装置を示す略図的正面断面図である。フィルタ装置２１は、注射用シリンジ２２を用いて構成されている。シリンジ２２内に、第１のフィルタ部材２３、第２のフィルタ部材２４が第２のフィルタ部材２４が下流側となるように配置されている。そして、第１のフィルタ部材２３上に第３のフィルタ部材２５が配置されている。
【００６２】
図５に示すように、フィルタ装置２１の使用に際しては、シリンジ２２の上部から血液を供給し、シリンジのピストン２６を押し込む。それによって、血液に圧力が加えられ、シリンジの先端２２ａ側から分離された血漿または血清を採取することができる。
【００６３】
また、ピストン２６を用いる方法に代えて、シリンジ２２の先端２２ａ側から吸引することによって血漿または血清を分離することもできる。例えば、シリンジ２２の先端に注射針を取り付け、該注射針を図示しない真空採血管の栓体に刺通させることにより、シリンジの先端側から吸引し、血漿または血清を該真空採血管に採取することができる。
【００６４】
図６は、さらに他の実施形態のフィルタ装置を示す正面断面図である。フィルタ装置３１は、ケース３２，３３からなるカートリッジを有する。ケース３２とケース３３とは、ネジ止め等により着脱自在にかつ液密的に固定されている。上記フィルタ３１内に、第１〜第３のフィルタ部材２３〜２５が、図４に示した実施形態と同様に配置されている。フィルタ３１は、血液が供給される入口ポート３２ａと、分離された血漿もしくは血清が排出される出口ポート３３ａとを有する。
【００６５】
使用に際しては、入口ポート３２ａをシリンジと接続し、シリンジに採取された血液をピストンで押圧することにより、血漿または血清を第１〜第３のフィルタ部材２３〜２５において血液から分離し、出口ポート３３ａから採取することができる。フィルタ装置３１においても、出口ポートと３３ａ側を吸引することにより、血漿または血清の分離を行ってもよい。
【００６６】
上記フィルタ装置３１を構成しているケース３２，３３としては、市販のフィルタカートリッジを用いることも可能である。
【００６７】
また、第１，第２の実施形態では、第１，第２のフィルタ部材が直接接触するようにして、第１，第２のフィルタ部材が直列に接続されていたが、第１のフィルタ部材と第２のフィルタ部材は、上流側から下流側に向かって直列に接続される限り、直接接触される必要は必ずしもない。図７は、このように、第１，第２のフィルタ部材が隔てられて配置されている本発明のさらに他の実施形態のフィルタ装置を備えた血液検査用システムを示す略図的正面断面図である。
【００６８】
血液検査用システム４１では、シリンジ４２及びフィルタホルダー４３によりフィルタ装置４４が構成されている。シリンジ４２内に、第１，第３のフィルタ部材２３，２５が、第３のフィルタ部材２５が上流側となるように収納されている。そして、シリンジ４２の先端４２ａに、フィルタホルダー４３の入口ポート４３ａが液密的に連結されている。フィルタホルダー４３内には、第２のフィルタ部材２４がセットされている。フィルタホルダー４３内に移動してきた血液中の血球が、第２のフィルタ部材２４により捕捉される。従って、フィルタホルダー４３の出口ポート４３ｂから、分離された血漿もしくは血清が採取される。
【００６９】
血液検査用システム４１では、フィルタホルダー４３の出口ポート４３ｂに注射針４５が取り付けられている。そして、注射針４５の針先が、血漿または血清収納容器４６に取り付けられた栓体４７を刺通している。栓体４７は、弾性材料からなり、収納容器４６の上端開口を気密封止するように取り付けられている。
【００７０】
他方、栓体４７には、定圧吸引ポンプ４８に接続された流路４９が挿入されている。図８に示すように、血液Ａがシリンジ４２内に供給された後に、定圧吸引ポンプ４８を駆動することにより、収納容器４６内が減圧され、この減圧により血液が吸引され、第３のフィルタ部材２５、第１のフィルタ部材２３及び第２のフィルタ部材２４を順に通過し、分離された血漿または血清が収納容器４５内に採取される。
【００７１】
従って、収納容器４６から注射針４５及び流路４９を取り除くことにより、収納容器４６内に分離された血漿もしくは血清を得ることができる。
【００７２】
図９は、本発明に係る血液検査用容器の一実施形態の略図的正面断面図である。血液検査用容器５１は、外管５２と、外管５２に挿入された筒状部材５３とを有する。外管５２は、有底であり、上端に開口５２ａを有する筒状容器により構成されている。筒状部材５３は、円筒状の形状を有し、上端に開口５３ａを有する。また、筒状部材５３の下端には、筒状部材５３と着脱自在に固定された下方突出部５３ｂが設けられている。筒状部材５３内には、本発明の血液分離フィルタを構成する、第３のフィルタ部材２５、第１のフィルタ部材２３及び第２のフィルタ部材２４が上方から下方に順に配置されている。それによって、筒状部材５３内に、本発明に従って構成された血液分離フィルタが収納されている。また、第２のフィルタ部材２４の下方には、濾過された血清もしくは血漿を保持する血清または血漿保持部５３ｃが形成されている。血液検査用容器５１内は減圧されており、かつ外管５２及び筒状部材５３の上端開口５２ａ，５３ａが栓体５４により気密封止されている。
【００７３】
従って、血液検査用容器５１では、栓体５４を真空採血針などで刺通することにより、血液分離フィルタの上方の血液収納部５６に血液が採取される。また、真空採血針を除去した後に、栓体５４に採血針を挿入したり、栓体５４を貫通する孔を設けることにより、筒状部材５３内と大気とを連通すれば、採取された血液の血液分離フィルタによる濾過が進行する。そして、濾過された血漿または血清が、血漿または血清保持部５３ｃを介して、下方の血漿または血清収納部５７に流下される。
【００７４】
なお、本発明に係る血液検査用容器は、上述した血液分離フィルタを有する限り、その具体的な構造については図９に示した構造に限定されない。すなわち、分離された血漿または血清が収納される収納容器内に、上記第１〜第３のフィルタ部材２３〜２５が配置されているものであってもよく、また第１〜第３のフィルタ部材が収納された容器が、分離された血漿または血清を収納する容器内に挿入されている２重構造の血液検査用容器など、様々な構造とすることができる。
【００７５】
図１０は、本発明の一実施形態に係る血液検査用容器を示す縦断面図である。血液検査用容器６１は、容器本体６２と筒状部材６３とを有する採血容器を用いて構成されている。容器本体６２は、上端に開口部６２ａを有する有底管状容器で構成されている。
【００７６】
他方、容器本体６２の上端の開口部６２ａの近傍においては、内周面に雌ねじ６２ｂが形成されている。
【００７７】
筒状部材６３は、容器本体６２の開口部６２ａにねじ込まれて、容器本体６２に気密的に固定されている。この固定を果たすために、筒状部材６３の下方外周面部分には、雌ねじ６２ｂに噛み合う雄ねじ６３ａが形成されている。
【００７８】
筒状部材６３は、上端に開口６３ｂを有する。また、筒状部材６３の下方には、血漿もしくは血清流下部６３ｃが下方に突出するように形成されている。血漿もしくは血清流下部６３ｃは、先端が容器本体６２の内壁に向かうように屈曲されている。血漿もしくは血清流下部６３ｃの先端は、容器本体６２内に配置された血液検査用試薬ストリップ６４の検体供給部６４ａ近傍に位置している。
【００７９】
なお、上記容器本体６２及び筒状部材６３を構成する材料としては、特に限定されず、合成樹脂やガラス等を用いることができる。もっとも、検査結果を目視により外部から確認することを容易とするために、少なくとも容器本体６２が透明な材料で形成されていることが望ましく、血液分離過程を目視により確認するためには、筒状部材６３も透明な材料で構成されていることが望ましい。
【００８０】
筒状部材６３の開口６３ｂを気密封止するように、栓体６５が開口６３ｂに取付けられている。
【００８１】
栓体６５は、例えば、ゴムやエラストマーなどの弾性材料で構成されている。使用し得る弾性材料は、開口６３ｂを気密封止し、かつ容器本体６２及び筒状部材６３で構成される採血容器内の減圧を維持し得る限り、適宜の弾性材料を用いることができる。
【００８２】
筒状部材６３内には、フィルタ装置５６が配置されている。フィルタ装置５６は、前述した第１のフィルタ部材２３及び第２のフィルタ部材２４を直列に接続した構造を有する。
【００８３】
本実施形態では、上記容器本体６２と、筒状部材６３とにより採血容器が構成されている。そして、この採血容器内が減圧されている。減圧度は、栓体６５を真空採血針で刺通し、内外の圧力差により血液を採取する程度の大きさとされる。具体的には、１〜９０ｋＰａ程度とされる。
【００８４】
また、本実施形態では、容器本体６２と、筒状部材６３とで構成される採血容器は、内部に第１の内部空間Ａと、第２の内部空間Ｂとを有することになる。すなわち、第１の内部空間Ａと第２の内部空間Ｂとの境界に、上述した第１，第２のフィルタ部材２３，２４
からなるフィルタ６６が配置されていることになる。そして、第２の空間Ｂ内には、血液検査用試薬ストリップ６４が配置されている。本実施形態では、血液検査用試薬ストリップ６４は、容器本体６２内において上下方向に延び、かつ上端側に検体供給部６４ａが位置するように配置されている。
【００８５】
上記血液検査用試薬ストリップ６４としては、血漿もしくは血清中の成分や血漿もしくは血清に含まれている物質等の検出に用いられ得る適宜の血液検査用試薬ストリップを用いることができる。
【００８６】
本実施形態では、上記血液検査用試薬ストリップとして、イムノクロマト診断薬ストリップが用いられている。従って、免疫クロマトグラフィーにより、血漿もしくは血清中の特定の成分が血液検査用試薬ストリップ６４を用いて検出され得る。
【００８７】
また、本実施形態では、血液検査用試薬ストリップ６４が用いられているが、血液検査用試薬ストリップ６４に代えて、他の形態の血液検査用試薬が第２の空間Ｂに配置されていてもよい。
【００８８】
次に、本実施形態の血液検査用容器６１を用いた血液検査方法を説明する。
【００８９】
血液検査に際しては、栓体６５を真空採血針で刺通する。この場合、血液検査用容器６１内が減圧されているため、真空採血針を通り、血液が血液検査用容器６１の第１の空間Ａに導かれる。そして、採血後においては、血液が第１のフィルタ部材２３に供給されると、血球成分に比べて血漿もしくは血清が速やかに移動するため、血漿もしくは血清が速やかに第２のフィルタ部材２４に導かれる。そして、第２のフィルタ部材２４では、血漿もしくは血清は前述した貫通孔を通過し、血漿もしくは血清流下部６３ｃを通り、血液検査用試薬ストリップ６４の検体供給部６４ａに供給される。この血液のろ過は、第１，第２の内部空間Ａ，Ｂ間の圧力差により速やかに行なわれる。
【００９０】
すなわち、第１の内部空間Ａは、真空採血針により採血を行なった後、採血針などを栓体に刺通し、外部と内部空間Ａとを連通させると、その減圧度が低下するので、第１の内部空間Ａと第２の内部空間Ｂとに圧力差が生じ、該圧力差、すなわち第２の内部空間Ｂの残圧によってろ過が速やかに行なわれる。そして、赤血球が第２のフィルタ部材２４の貫通孔を閉鎖した時点でろ過は終了する。
【００９１】
上記のように、本実施形態の血液検査方法では、血液検査用容器６１の第１の内部空間Ａに真空採血針などを用いて血液を採取した後、遠心分離等の煩雑を作業を必要とすることなく、血液から血漿もしくは血清が速やかにろ過され、かつ該血漿もしくは血清が第２の内部空間Ｂに配置された血液検査用試薬ストリップ６４に供給される。よって、感染のおそれを引き起こすことなく、血液の採取から血液検査の終了までを自動的に、かつ安全に行なうことができる。
【００９２】
図１１は、本発明のさらに他の実施形態に係る血液検査用容器を示す縦断面図である。図１０に示した血液検査用容器６１では、筒状部材６３が容器本体６２の上方に連結されていたが、本実施形態の血液検査用容器８０では、筒状部材８３が容器本体８２内に挿入されている。そして、筒状部材８３の開口を閉栓する栓体８１が筒状部材８３の開口８３ｂを閉栓しているだけでなく、容器本体８２の開口部８２ａをも閉栓している。
【００９３】
栓体８１は、把持部８１ａと、把持部８１ａの下方に突出しており、把持部８１ａよりも径の小さな大径部８１ｂと、大径部８１ｂの下面から下方に突出されており、大径部８１ｂよりも小さな径の小径部８１ｃとを有するように構成されている。大径部８１ｂが開
口部８２ａに挿入され、小径部８１ｃが筒状部材８３の開口８３ｂに圧入されている。このようにして、筒状部材８３と容器本体８２とからなる採血容器内が所定の減圧度を維持し得るように気密封止されている。
【００９４】
その他の構成については、図１０に示した実施形態の血液検査用容器６１と同様であるため、同一部分については、同一の参照番号を付することにより、その詳細な説明は省略する。
【００９５】
第２の血液検査用容器８０においても、内部が予め減圧されているため、血液検査用容器６１と同様に真空採血針を栓体に刺通し、血液を採取した後、導通治具を栓体に刺通することにより自動的に血液のろ過が進行し、かつ血液検査用試薬ストリップ６４に検体としての血漿もしくは血清が供給される。従って、血液検査用容器６１と同様に、遠心分離装置や遠心分離作業を要することなく、安全に血液の採取から血液検査までの作業を完了することができる。
【００９６】
上述したように、本発明に係る血液検査用容器は、様々な形態とされ得る。この場合、血液検査用容器の、開口を有し、採取された血液が収容される部分である血液収容部と、上述した第１，第２のフィルタ部材または第１〜第３のフィルタ部材が収容されているフィルタ収容部と、フィルタ収容部の後段に配置されており、血漿もしくは血清が収容される血漿もしくは血清収容部を有する場合、好ましくは、血液収容部、フィルタ収容部及び血漿もしくは血清収納部の容積比率は、０．５〜２：１：１〜１０の範囲とされる。血液収容部とフィルタ収容部の容積比が０．５：２．０：１であることが望ましいのは、血液収容部の割合が０．５未満であると、フィルタの量に対して血液量が不足し、分離後の検体の量が少なくなったり、あるいは全く得られないおそれはあることによる。また、血液収容部の容積が上記比率で２．０より大きくなると、フィルタによる血液分離能力以上の血液が供給され、被験者への負担が大きくなくおそれがあるからである。
【００９７】
また、本発明に係る血液検査用容器では、上述したように、血液を圧力差を利用して分離することができる。この場合、血液をフィルタに流入させて分離が行われるが、その駆動力は血液収容部と、血漿もしくは血清収容部との圧力差による。血液の分離が進行するにつれて、血漿もしくは血清収容部の内圧は上昇し、すなわちろ過の駆動力は低下する。上記圧力差は、血漿もしくは血清収容部の容積によって決定される。血漿もしくは血清収容部の容積が、上述した比率で１未満の場合には、血液分離に際しての駆動力が不足し、分離後の検体量が少なくなったり、あるいは全く得られないおそれがある。逆に、血漿もしくは血清収容部の容積比率が１０より大きくなると、血液分離に際しての駆動力は十分な大きさとされるが、必要以上に寸法が大きくなり、コストが高くなったり、使用後の廃棄物量が多くなったりするため、好ましくない。
【００９８】
また、本発明に係る血液検査用容器では、採取された血液が供給される血液収容部から、フィルタ収容部に至る少なくとも一箇所に、浸透圧２００〜３５０ｍＯｓｍ／ｋｇの水溶液が添加されていることが望ましい。この場合は、採取された血液が、血液分離の終了までの過程において、上記水溶液と混和され、血液の血球成分濃度が小さくなる。すなわちヘマトクリット値が小さくなる。フィルタ装置を用いて血液を分離する際、ヘマトクリットが小さいほど分離効率は高くなり、分離後に得られる検体量は飛躍的に増加する。しかしながら、臨床検査では、血漿もしくは血清を希釈することにより、検査値が希釈倍率通りに変化しないことがある。従って、希釈には注意を要する。
【００９９】
本発明においては、採血する血液量を１とすると、上記水溶液の添加量は０．２〜５とすることが好ましい。添加する水溶液の割合が０．２未満では、得られる検体量の増加がほとんど期待できず、添加する水溶液量の割合が５より多くなると、血液が希釈されすぎ
るため、臨床検査値に異常をきたすことがあるからである。より好ましくは、採取する血液量を１とした場合、上記水溶液の添加量は０．５〜３の範囲とすることが望ましい。
【０１００】
また、添加する水溶液は、血液と混和される時に、血球成分、特に赤血球を破壊することがないように、血液の浸透圧と同等であることが好ましい。従って、上記水溶液の浸透圧は２００〜３５０ｍＯｓｍ／ｋｇとすることが望ましい。２００ｍＯｓｍ／ｋｇ未満では、浸透圧により赤血球が膨張し、破壊するおそれがあり、３５０ｍＯｓｍ／ｋｇより大きくなると、浸透圧により赤血球の内容物が溶出し、臨床検査値に異常をきたすことがある。より好ましくは、２５０〜３００ｍＯｓｍ／ｋｇである。
【０１０１】
上記水溶液中の溶質は特に限定されないが、水溶液が強い酸性またはアルカリ性を示すもの、あるいは血液中の成分と反応するものは好ましくない。ｐＨを安定化させるには、緩衝作用を有する無機物の組み合わせが好ましい。特に限定されるわけではないが、クエン酸−リン酸水素二ナトリウム、イミダゾール−塩酸、トリメチルピリジン−塩酸、トリエタノールアミン−塩酸、トリス（ヒドロキシメチル）アミノメタン−塩酸などの組み合わせを用いることができるが、ｐＨが６〜８において緩衝作用を有するものであれば特に限定されるものではない。また、ｐＨに影響がないような食塩などの塩類も好適に用いられる。
【０１０２】
また、採血後の血液が上記水溶液と混和された際に、その容量比が明確となるように水溶液内に、内標準物質を添加してもよい。内標準物質は血液を分離して血漿もしくは血清が得られた際に、その希釈倍率を正確に算出する際に有用となる。これによって、臨床検査値を正確に算出することが可能となる。内標準物質としては特に限定されないが、血液中に存在しない成分であること、水溶性であること、特定の紫外可視吸収、赤外線吸収、近赤外吸収、蛍光波長などの特性を有し、一般的な測定方法で血漿もしくは血清中の濃度を測定可能であることが必要である。このような内標準物質としては、ベンゾトリアゾール系化合物、ｐ−ジメチル安息香酸メチル、ｐ−ジメチルアミノ安息香酸オクチルなどの安息香酸系化合物、オキソベンゾン、安息香酸、サリチル酸などの紫外可視吸収を有する物質、〔Ｃｏ（Ｈ2Ｏ）6〕2+、〔Ｃｏ（ＮＨ3）5〕2+、〔Ｆｅ（η−Ｃ5Ｈ5）2〕などの
水溶性金属錯体も用いることができる。またさらに、インジゴ、エオシン、β−カロチン、マラカイトグリーン、メチレンブルーなどの色素類も使用可能である。また蛍光物質としては、エリトロシン、硫酸ローダミン、ローダミンＢ、ピナシアノールなどを例に挙げることができる。しかし、生体内に存在せず、測定物質への共雑がなければ、いかなる物質を使用しても問題はなく、上記に記載の内標準物質に限定されるわけではない。
【０１０３】
本発明に係るフィルタ装置においては、該フィルタ装置の少なくとも一部に好ましくは抗凝固成分が添加される。この場合、抗凝固成分は、血液の凝固を防止するために付加される。従って、好ましくは、フィルタ装置において、抗凝固成分は、フィルタ部材が収容されている部分、例えば前述したフィルタ装置の第１，第２のフィルタ部材や第１〜第３のフィルタ部材が収容されている部分、あるいは該フィルタ部材が収容されている部分よりも上流側の血液収容部に添加される。血液収容部に抗凝固成分が添加されている場合には、フィルタ装置や該フィルタ装置を有する血液検査用容器において、まず検体としての血液が収容される部分に抗凝固成分が添加されている。従って、検体としての血液の凝固を直ちに防止することができる。もっとも、血液収容部に連なっているフィルタ収容部に抗凝固成分が添加されていても同様に血液の凝固を効果的に防止することができる。さらに、フィルタ部材によるろ過が速やかに行われる場合には、抗凝固成分はフィルタ収容部よりも後段に添加されていてもよい。
【０１０４】
上記抗凝固成分としては、実質的に血液の凝固を抑制する機能を有するものである限り特に限定されない。例えば、抗トロンビン作用を有する抗凝固成分として、ヘパリンナト
リウム、ヘパリンリチウムなどのヘパリン金属塩が挙げられる。また、脱カルシウム作用を有する抗凝固成分として、クエン酸ナトリウム、エチレンジアミン４酢酸塩、臭酸塩、フッ化ナトリウムなどを挙げることができる。
【０１０５】
抗凝固成分の添加量はその種類によっても異なるが、ヘパリン金属塩の場合、採血量１ｍＬにたいし０．５〜５０単位を添加することが好ましい。また、クエン酸ナトリウム、エチレンジアミン４酢酸塩、臭酸塩、フッ化ナトリウムなどでは、採血量１ｍＬに対し、０．５〜２０ｍｇ程度添加することが好ましい。
【０１０６】
また、本発明に係るフィルタ装置や血液検査用容器では、抗凝固成分とは逆に、少なくとも一部に血液の凝固を促進させる凝固促進剤を添加しておいてもよい。凝固促進剤を添加することにより、血液を凝固させることができ、血清を試料として採取することができる。凝固促進剤を添加することにより、フィルタ装置において血液から血清を分離する過程において除去しきれなかったフィブリノーゲンがフィルタを通過し、血漿もしくは血清収納部に流下することを防止することができる。従って、フィブリノーゲンが除去された血清を確実に得ることができ、検体が後で凝固するという不具合をなくすことができる。
【０１０７】
凝固促進剤としては、特に限定されず、シリカなどの吸着性無機物、トロンビン及びヘビ毒、パパインなどのトロンビン様酵素などを挙げることができる。
【０１０８】
なお、トロンビンなどの酵素系の凝固促進剤を添加する場合には、凝固促進剤は、フィルタの下流側において添加することが望ましい。フィルタの上流側に凝固促進剤を添加した場合、血液の凝固が急速に進行し、凝固した血液によりフィルタが閉塞し、血液の分離を停止するおそれがある。これに対して、フィルタ収容部内の下流側付近において凝固促進剤を添加した場合には、フィルタで除去しきれなかったフィブリノーゲンだけを凝固促進剤の作用により凝固させることができ、フィルタ部材内部で確実にフィブリノーゲンを除去することができる。
【発明を実施するための最良の形態】
【０１０９】
以下、本発明の具体的な実施例を説明することにより本発明を明らかにする。なお、本発明は以下の実施例に限定されるものではない。
【０１１０】
（実施例１）
膜厚１０μｍのポリカーボネート製分離膜（ミリポア社製、品番：ＧＴＴＰ０４７００、孔径０．２μｍの横断面形状が円形の多数の貫通孔を有する分離膜）を用意した。上記分離膜を直径１３ｍｍに切断し、市販のフィルタカートリッジ（ミリポア社製、品名：スフィネクスフィルタホルダー  Ｓ×０１３００００）にセットした。
【０１１１】
（実施例２）
貫通孔の径を０．６μｍに変更したことを除いては、実施例１と同様にして評価サンプルを用意した。
【０１１２】
（実施例３）
貫通孔の径を２．０μｍに変更したことを除いては、実施例１と同様にして評価サンプルを用意した。
【０１１３】
（実施例４）
内径１４．５ｍｍの１０ｍＬ用シリンジ（ＪＭＳ社製、材質：ポリプロピレン）内に孔径０．２μｍの多数の貫通孔を有する実施例１で用いたポリカーボネート製分離膜をセットし、さらに該分離膜上に平均繊維径１．８μｍのポリエステル繊維１．０ｇを充填し、
４．０ｃｍ3の体積に圧縮してフィルタ部材を構成した。このようにして用意されたシリ
ンジを評価用サンプルとした。
【０１１４】
（実施例５）
貫通孔の径を０．８μｍに変更したことを除いては、実施例４と同様にして評価用サンプルを得た。
【０１１５】
（比較例１）
孔径０．２２μｍの連続通気孔を多数有するポリビニリデンジフルオライド製分離膜（ミリポア社製、品名：デュラポア、膜厚１２５μｍ）を直径１３ｍｍにカットし、実施例１と同様にして、フィルタカートリッジにセットし、評価用サンプルを得た。
【０１１６】
（比較例２）
孔径を０．６５μｍとした変更したことを除いては、比較例１と同様にして評価用サンプルを得た。
【０１１７】
（比較例３）
孔径を３．０μｍに変更したことを除いては、実施例１と同様にして評価用サンプルを得た。
【０１１８】
（比較例４）
内径１４．５ｍｍの１０ｍＬ用シリンジ（ＪＭＳ社製、材質：ポリプロピレン）に孔径０．２２μｍの連続通気孔を有する比較例１で用いた分離膜をセットし、さらに平均繊維径１．８μｍのポリエステル繊維１．０ｇを充填し、４．０ｃｍ3の体積に圧縮されたフ
ィルタ部材を分離膜上にセットし、評価用サンプルとした。
【０１１９】
（比較例５）
比較例３で用いた孔径３．０μｍの貫通孔を有する分離膜を用いたことを除いては、実施例４と同様にして評価用サンプルを得た。
【０１２０】
〔実験例１〕
実施例１〜３及び比較例１〜３の各評価用サンプルを用いた。ヘマトクリットが１０％の希釈血液１００μＬを用いて、下記の表１に示す圧力をかけてろ過を行った。得られた血漿の状態を、上記希釈血液を遠心分離（３０００ｒｐｍ×１０分の遠心分離）して得られた血漿と比較し、溶血の有無を確認した。
【０１２１】
結果を下記の表１に示す。
【０１２２】
【表１】
2004344874.tif 000003
〔実験例２〕
実施例４，５及び比較例４，５の評価用サンプルを用い、ヘマトクリット４６．７％のヒト血液４ｍＬを供給し、下記の表２に示す圧力でろ過を行った。このようしにて得られた血漿を、遠心分離（３０００ｒｐｍ×１０分）により同じ血液から得られた血漿と比較し、溶血の有無を目視により確認した。結果を下記の表２に示す。
【０１２３】
【表２】
2004344874.tif 000004
（実施例６）
貫通孔の孔径が０．２μｍであり、空隙率１４％のポリカーボネート製血球成分停止膜を用意した。この血球成分停止膜はミリポア社製、品名：アイソポア  ＧＴＴＰであり、膜厚は１０μｍである。上記血球成分停止膜を直径１３ｍｍに切断し、市販のフィルタホルダー（ミリポア社製、スフィネクスフィルタホルダー、有効ろ過面積約０．７ｃｍ2）
にセットしたものを評価用サンプルとした。
【０１２４】
（実施例７）
孔径を０．８μｍ及び空隙率を１５％に変更したことを除いては、実施例６と同様にして評価用サンプルを得た。使用した血球成分停止膜は、ミリポア社製、品名：アイソポア
ＡＴＴＰである。
【０１２５】
（実施例８）
孔径を１．２μｍ及び空隙率を２３％に変更したことを除いては、実施例６と同様にして評価用サンプルを得た。使用した血球成分停止膜は、ミリポア社製、品名：アイソポア
ＲＴＴＰである。
【０１２６】
（実施例９）
孔径を２．０μｍ及び空隙率を８％に変更したことを除いては、実施例６と同様にして評価用サンプルを得た。使用した血球成分停止膜は、ミリポア社製、品名：アイソポア  ＴＴＴＰである。
【０１２７】
（実施例１０）
内径１４．５ｍｍの１０ｍＬシリンジに、孔径０．２μｍ及び空隙率１４％の実施例６で用いた血球成分停止膜を１４．５ｍｍ径に切断したものをセットし、さらに平均繊維径１．８μｍのポリエステル製繊維１．０ｇを充填して４．０ｃｍ3の体積に圧縮してフィ
ルタ部材をセットしたものを評価用サンプルとした。
【０１２８】
（実施例１１）
孔径０．８μｍ及び空隙率１６％に変更したことを除いては、実施例１０と同様にして評価用サンプルを得た。
【０１２９】
（実施例１２）
孔径を２．０μｍ及び空隙率を８％に変更したことを除いては、実施例１０と同様にして評価用サンプルを得た。
【０１３０】
（比較例６）
複数の孔を有する膜厚１２５μｍのポリビニリデンジフルオライド膜（ミリポア社製、品名：デュラポア  ＧＶＷＰ、孔径が０．２２μｍ及び空隙率７０％）を血球成分停止膜を用いたことを除いては、実施例６と同様にして評価用サンプルを得た。
【０１３１】
（比較例７）
複数の孔を有する膜厚１５０μｍのセルロース混合エステルフィルム（ミリポア社製、品名：ＭＦ−ミリポア  ＤＡＷＰ、孔径が０．６５μｍ及び空隙率８１％）を血球成分停止膜を用いたことを除いては、実施例６と同様にして評価用サンプルを得た。
【０１３２】
（比較例８）
孔径を５．０μｍ及び空隙率を７０％に変更したことを除いては、比較例６と同様にして評価用サンプルを得た。
【０１３３】
（比較例９）
孔径を３．０μｍ及び空隙率を１４％に変更したことを除いては、実施例６と同様にして評価用サンプルを得た。
【０１３４】
（比較例１０）
孔径０．２２μｍ、空隙率７０％及び膜厚１２５μｍのポリビニリデンジフルオライド製血球成分停止膜、すなわち比較例６で用いた血球成分停止膜を用いたことを除いては、実施例１０と同様にして評価用サンプルを得た。
【０１３５】
（比較例１１）
孔径０．６５μｍ、空隙率８１％及び膜厚１５０μｍのセルロース混合エステル製血球成分停止膜、すなわち比較例７で用いた血球成分停止膜を用いたことを除いては、実施例１０と同様にして評価用サンプルを得た。
【０１３６】
（比較例１２）
複数の孔を有する膜厚９μｍのポリカーボネートフィルム（ミリポア社製、品名：アイソポア  ＴＳＴＰ、孔径３．０μｍ及び空隙率１４％）を血球成分停止膜として用いたことを除いては、実施例１０と同様にして評価用サンプルを得た。
【０１３７】
〔実験例３〕
健常人から採血して得た血液を遠心分離し、血漿と血球成分とに分離した。実施例６〜９及び比較例６〜８の血球成分停止膜を用い、遠心分離で得られた血漿成分２００μＬを加えて、下記の表３に記載の圧力でろ過を行った。ろ過が終了するまでに、遠心分離されていない新たな血液を２００μＬ追加し、ろ過を継続した。１０分後にろ過された血漿の状態を、遠心分離された血漿と比較し、溶血の有無を確認した。結果を表３に示す。
【０１３８】
【表３】
2004344874.tif 000005
表３から明らかなように、実施例５〜９では６０ｋＰａもしくは４０ｋＰａの圧力を加えた場合でも溶血が生じていない血漿が得られたのに対し、比較例６〜８では、圧力が２０ｋＰａでも溶血もしくは赤血球の漏洩がみられた。
【０１３９】
〔実験例４〕
実施例１０〜１２及び比較例１０〜１２の血球成分停止膜を内蔵したフィルタ装置を用い、ヘマトクリット４６．７％のヒト血液４ｍＬを下記の表４に示す圧力でろ過した。１０分間放置後、得られた血漿の状態を、遠心分離（３０００ｒｐｍ×１０分）された血漿と比較し、溶血の有無を確認した。
【０１４０】
【表４】
2004344874.tif 000006
なお、実施例１０〜１２では溶血が起こっておらず、血漿がろ過された後自動的にろ過が停止したのに対し、比較例１０〜１２では血漿がろ過された後、徐々に溶血した血漿がろ過されたり、あるいは赤血球がそのままろ過されてきた。
【０１４１】
次に、具体的な実施例につき説明する。
【０１４２】
（実施例１３）
図７に示した血液検査用システム４１を構成した。シリンジ４２内に、第１のフィルタ部材用の材料として平均繊維径１．８μｍのポリエチレンテレフタレート繊維を１．０ｇと、第３のフィルタ部材を構成する材料として、その上に平均繊維径３．５μｍ、嵩密度０．１ｇ／ｃｍ3のポリエチレンテレフタレートからなる繊維０．０２ｇを充填し、両者
の合計の体積が４ｃｍ3となるように圧縮し、第１，第３のフィルタ部材２３，２５を作
製した。
【０１４３】
また、フィルタホルダー４３として、ミリポア社製、商品名：スフィネックスフィルタホルダーを用い、第２のフィルタとして、孔径０．４μｍ及び空隙率１３％のフィルタ（ミリポア社製、商品名：アイソポアＨＴＴＰ）を直径１３ｍｍに打ち抜きセットした。上記シリンジ４２とフィルタホルダー４３を図７に示すように連結し、フィルタ装置を構成した。
【０１４４】
（実施例１４）
第３のフィルタ部材を構成する材料として、平均繊維径６．０μｍかつ嵩密度０．１ｇ／ｃｍ3の繊維０．０２ｇを用いたことを除いては、実施例１３と同様にしてフィルタ装
置を構成した。
【０１４５】
（実施例１５）
第３のフィルタ部材を構成する材料として、平均繊維径１０．０μｍかつ嵩密度０．１ｇ／ｃｍ3の繊維０．０５ｇを用いたことを除いては、実施例１３と同様にしてフィルタ
装置を構成した。
【０１４６】
（比較例１３）
第３のフィルタ部材を構成しなかったことを除いては、実施例１３と同様にしてフィルタ装置を作製した。
【０１４７】
〔実験例５〕
実施例１３〜１５及び比較例１３の各フィルタ装置を用い、図７及び図８に示したように血漿または血清収納容器４６及び吸引ポンプ４８を連結し、ヘマトクリット約４０％の血液４ｍＬをシリンジ４２内に添加し、５０ｋＰａの圧力で吸引濾過した。このようにして得られた血漿、同じ血液を遠心分離して得られた血漿と比較し、溶血の有無を確認した。
【０１４８】
〔実験例６〕
実施例１３〜１５及び比較例１３のフィルタ装置を用い、ヘマトクリット約４０％の血液をガラス容器に入れ、２分間放置し凝固反応を促進した後、凝固反応を促進された血液を各フィルタ装置に４ｍＬ添加し、実験例５と同様に５０ｋＰａの圧力で吸引濾過した。このようにして得られた血漿、同じ血液を遠心分離することにより得られた血漿と比較し、溶血の有無を確認した。
【０１４９】
結果を下記の表５に示す。なお、溶血の有無の判定は以下の通りとした。
【０１５０】
溶血なし：遠心分離により得られた血漿と比べて差が認められなかった。
【０１５１】
微溶血  ：遠心分離により得られた血漿よりも僅かに血漿が赤みを帯びていた。
【０１５２】
弱溶血  ：遠心分離により得られた血漿に比べて血漿が明瞭に赤みを帯びていた。
【０１５３】
【表５】
2004344874.tif 000007
次に述べる実施例１６〜実施例２１及び比較例１４，１５では、以下の要領で、血漿もしくは血清分離膜の表面粗さを測定した。
【０１５４】
すなわち、走査型プローブ顕微鏡を用い、ＡＦＭ及びＤＦＭによるフィルタ表面の形状として、平均面粗さＲａ値を測定した。ここでの平均面粗さＲａは、ＪＩＳ  Ｂ  ０６０１の規格に基づく中心線平均面粗さＲａを測定面に対して適用できるように３次元に拡張したものであって、基準面から指定面までの偏差の絶対値を平均した値としている。使用した装置は、ＳＩＩ社製、ＳＰＩ３８００Ｎ及びＳＰＡ４００。プローブは以下の通りである。
【０１５５】
【表６】
2004344874.tif 000008
また、測定に際しての走査周波数は１Ｈｚ、取得データ数Ｘ／Ｙは２５６／２５６とした。
【０１５６】
（実施例１６）
孔径０．４μｍ、空隙率１８％、平均面粗さ５８．６２ｎｍのポリカーボネート製のフィルタを直径１３ｍｍにカットし、これを市販のフィルタカートリッジにセットしたものを評価サンプルとした。
【０１５７】
（実施例１７）
孔径０．４μｍ、空隙率１５％、平均面粗さ２４．６３ｎｍのポリカーボネート製のフィルタを直径１３ｍｍにカットし、これを市販のフィルタカートリッジにセットしたものを評価サンプルとした。
【０１５８】
（実施例１８）
孔径０．４μｍ、空隙率１５％、平均面粗さ２７．５３ｎｍのポリエチレンテレフタレート製のフィルタを直径１３ｍｍにカットし、これを市販のフィルタカートリッジにセットしたものを評価サンプルとした。
【０１５９】
（実施例１９）
１０ｍＬの市販のプラスチック製シリンジに、繊維径１．８μｍのポリエステル製繊維１．０ｇを体積４ｍＬとなるように圧縮して充填し、その下流側に実施例１６のフィルタサンプルをセットして評価用サンプルとした。
【０１６０】
（実施例２０）
１０ｍＬの市販のプラスチック製シリンジに、繊維径１．８μｍのポリエステル製繊維１．０ｇを体積４ｍＬとなるように圧縮して充填し、その下流側に実施例１７のフィルタサンプルをセットして評価用サンプルとした。
【０１６１】
（実施例２１）
１０ｍＬの市販のプラスチック製シリンジに、繊維径１．８μｍのポリエステル製繊維１．０ｇを体積４ｍＬとなるように圧縮して充填し、その下流側に実施例１８のフィルタサンプルをセットして評価用サンプルとした。
【０１６２】
（比較例１４）
孔径０．４５μｍ、空隙率７０％、平均面粗さ１４７．７０ｎｍのポリビニリデンジフルオライド製のフィルタを直径１３ｍｍにカットし、これを市販のフィルタカートリンジにセットしたものを評価サンプルとした。
【０１６３】
（比較例１５）
１０ｍＬの市販のプラスチック製シリンジに、繊維径１．８μｍのポリエステル製繊維１．０ｇを体積４ｍＬとなるように圧縮して充填し、その下流側に比較例１４のフィルタサンプルをセットして評価用サンプルとした。
【０１６４】
〔実験例７〕
実施例１６〜１８、比較例１４の分離膜を用い、ヘマトクリットを１０％の血液５００μＬを分離膜上に展開し、それぞれ以下の表７及び表８に記載した圧力でろ過を行った。そのときに得られた血漿の状態を遠心分離した血漿と比較し溶血を確認した。
【０１６５】
【表７】
2004344874.tif 000009
〔実験例８〕
実施例１９〜２１、比較例１５の分離フィルタを用い、健常人ボランティアから採血した血液４ｍｌをそれぞれ分離フィルタ上に展開し、それぞれ表８に記載した圧力でろ過を行った。そのときに得られた血漿の状態を遠心分離した血漿と比較し溶血を確認した。
【０１６６】
【表８】
2004344874.tif 000010
【産業上の利用可能性】
【０１６７】
本発明に係る血漿もしくは血清分離膜では、膜の一方面から他方面に貫通する複数の貫通孔が設けられているため、赤血球の溶血を引き起こすことなく血漿もしくは血清を血液から容易にかつ確実に分離することができる。特に、６０ｋＰａ以下の圧力を加えた場合であっても、赤血球の破壊を引き起こすことなく、血漿もしくは血清を確実に分離することができる。従って、血漿もしくは血清分離作業の効率を高めることも可能となる。
【０１６８】
本発明に係るフィルタ装置は、本発明に従って構成された血漿もしくは血清分離膜の前段に血漿を速く移動させるフィルタ部材を備えるため、血液からまず血漿が血漿もしくは血清分離膜側に速やかに移動するため、分離作業の効率をより一層高めることができる。加えて、ヘマトクリット値が高い全血試料を用いた場合であっても、上記フィルタ部材において血漿が速やかに移動されるため、血漿の分離を確実かつ速やかに行うことができる。
【０１６９】
加えて、遠心分離を不要とすることができるため、本発明に係る血漿もしくは血清分離膜あるいはフィルタ装置を用いることにより、検体を迅速に得ることができるので、本発明は緊急を要する検査に極めて有用である。
【図面の簡単な説明】
【０１７０】
【図１】本発明のフィルタ装置の一構造例を示す縦断面図。
【図２】本発明に係るフィルタ装置の他の構造例を示す縦断面図。
【図３】本発明に係るフィルタ装置のさらに他の構造例を示す縦断面図。
【図４】本発明の他の実施形態に係る血液分離フィルタが収納されたフィルタ装置の略図的正面断面図。
【図５】図４に示したフィルタ装置において血漿または血清を分離する工程を説明するための略図的正面断面図。
【図６】本発明のさらに他の実施形態に係るフィルタ装置を示す略図的正面断面図。
【図７】本発明のさらに別の実施形態に係るフィルタ装置を用いた血液検査用システムの略図的正面断面図。
【図８】図７に示した血液検査用システムを用いた血漿分離方法を説明するための略図的正面断面図。
【図９】本発明に係る血液検査用容器の略図的正面断面図。
【図１０】本発明の他の実施形態に係る血液検査用容器を示す縦断面図。
【図１１】本発明のさらに他の実施形態に係る血液検査用容器を示す縦断面図。
【符号の説明】
【０１７１】
１…フィルタ装置
２…容器本体
２ａ…開口
３…筒状部材
４…フィルタ部材
５…血漿もしくは血清分離膜
７…フィルタ装置
８…シール部材
９…筒状部材
９ａ…段差
９ｂ…小径部
１０…フィルタ装置
１１…栓体
１１ａ…把持部
１１ｂ…中間部
１１ｃ…小径部
２１…フィルタ装置
２２…シリンジ
２３…第１のフィルタ部材
２４…第２のフィルタ部材
２５…第３のフィルタ部材
２６…ピストン
３１…フィルタ装置
３２，３３…ケース
３２ａ…入口ポート
３３ａ…出口ポート
４１…血液検査用システム
４２…シリンジ
４３…フィルタホルダー
４３ａ…入口ポート
４３ｂ…出口ポート
４４…フィルタ装置
４５…注射針
４６…収納容器
５１…血液検査用容器
５２…外観
５２ａ，５３ａ…開口
５４…栓体
６１…血液検査用容器
６２…容器本体
６２ａ…開口部
６３…筒状部材
６３ａ…雄ねじ
６３ｂ…開口
６３ｃ…血漿もしくは血清流下部
６４…血液検査用試薬ストリップ
６４ａ…検体供給部
６５…栓体
６６…フィルタ装置
８０…血液検査用容器
８１…栓体
８１ａ…把持部
８１ｂ…大径部
８１ｃ…小径部
８２…容器本体
８２ａ…開口部
８３…筒状部材
【図１】
2004344874.tif 000011
【図２】
2004344874.tif 000012
【図３】
2004344874.tif 000013
【図４】
2004344874.tif 000014
【図５】
2004344874.tif 000015
【図６】
2004344874.tif 000016
【図７】
2004344874.tif 000017
【図８】
2004344874.tif 000018
【図９】
2004344874.tif 000019
【図１０】
2004344874.tif 000020
【図１１】
2004344874.tif 000021